(57)【要約】【課題】  プリンターの印字適性、搬送適性等に優れ、また剥離性感圧粘着剤と重なる部分での基材への印刷を、解像度が高く、基材との密着性も高い状態で実現でき、隠蔽性が高い往復隠蔽はがき等の情報隠蔽シートを提供することを目的とする。【解決手段】  第１の基材と第２の基材とが、少なくとも擬似接着剤により重ね合わされて接着し、少なくとも１箇所の折り部により、折り畳まれて接着可能な情報隠蔽用シートにおいて、該折り畳まれる対向面同士が、接着性部材を積層し、該接着性部材により、重ね合わされて圧着されて接着可能であり、また該接着された部分は再剥離が可能であるようにした。これにより、情報隠蔽用シートは全面において、総厚が異なる部分がなく、均一な平坦性を有しているので、プリンターの印字適性、搬送適性等に優れたものとなる。【選択図】      図１
2009029010.tif 000002
【特許請求の範囲】
【請求項１】
第１の基材と第２の基材とが、少なくとも擬似接着剤により重ね合わされて接着し、少なくとも１箇所の折り部により、折り畳まれて接着可能な情報隠蔽用シートにおいて、該折り畳まれる対向面同士が、接着性部材を積層し、該接着性部材により、重ね合わされて圧着されて接着可能であり、また該接着された部分は再剥離が可能であることを特徴とする情報隠蔽用シート。
【請求項２】
前記の接着性部材が、基材フィルムの両側に感熱接着剤層を設けたもの、あるいは剥離性感圧粘着剤層の皮膜であることを特徴とする請求項１に記載の情報隠蔽用シート。
【請求項３】
前記の第１の基材と第２の基材の少なくとも一方において、地紋印刷が設けられて、該基材部に記載された個人情報が透けて見えないようにしたことを特徴とする請求項１または２に記載の情報隠蔽用シート。
【請求項４】
前記の折り部において、山折り側になる基材に、スリット、あるいはミシン目を入れて折りやすくしたことを特徴とする請求項１〜３のいずれか一つに記載の情報隠蔽用シート。
【請求項５】
前記の第１の基材が、第１Ａ基材部と第１Ｂ基材部とが折り部である折り線２を介して区分けされ、第２の基材が第２Ａ基材部と第２Ｂ基材部とが折り線２を介して区分けされ、第１Ａ基材部、第１Ｂ基材部の基材部で、少なくとも１つの基材部において、さらに強接着剤を用い、擬似接着剤と強接着剤を、接着箇所を分けて、第２基材と重ね合わされたことを特徴とする請求項１〜４のいずれか一つに記載の情報隠蔽用シート。
【請求項６】
前記の第１の基材が、第１Ａ基材部と第１Ｂ基材部とが折り部である折り線２を介して区分けされ、かつ第１Ｂ基材部と第１Ｃ基材部とが折り部である折り線３を介して区分けされ、第２の基材が第２Ａ基材部と第２Ｂ基材部とが折り線２を介して区分けされ、かつ第２Ｂ基材部と第２Ｃ基材部とが折り部である折り線３を介して区分けされ、第１Ａ基材部、第１Ｂ基材部、第１Ｃ基材部の基材部で、少なくとも１つの基材部において、さらに強接着剤を用い、擬似接着剤と強接着剤を、接着箇所を分けて、第２基材と重ね合わされたことを特徴とする請求項１〜４のいずれか一つに記載の情報隠蔽用シート。
【請求項７】
前記の情報隠蔽用シートの擬似接着剤により、重ね合わされて接着した部分で、第１の基材部にハーフカット加工が施され、該ハーフカット部分を剥離して、該剥離した部分をラベルとして使用して、情報隠蔽用シートの表面に記載した個人情報を、該ラベルを貼り付けて隠蔽可能にしたことを特徴とする請求項１〜６のいずれか一つに記載の情報隠蔽用シート。
【請求項８】
前記の第１の基材と第２の基材を重ね合わせて、折り部（折り線２）で折り畳む際、該折り部（折り線２）で、山折り側になる第１の基材にスリット、あるいはミシン目を入れて折りしわを無くし、また折り部（折り線２）と第１Ｂ基材の端面４０で挟まれた第１Ｂ基材を第２Ｂ基材部から剥がしやすくして、該剥がされた部分をラベルとして使用できることを特徴とする請求項１〜３または５に記載の情報隠蔽用シート。
【請求項９】
前記の第１の基材と第２の基材を重ね合わせて折り部（折り線２）で折り畳む際、該折り部（折り線２）で、山折り側になる第１の基材にスリット、あるいはミシン目を入れて折りしわを無くし、また折り部（折り線２）と第１Ｂ基材の端面４０で挟まれた第１Ｂ基材を第２Ｂ基材部から剥がして、その後に該第２Ｂ基材を逆折りして、第１Ａ基材と第２Ｂ基材とが擬似接着剤を介して接着できることを特徴とする請求項１〜３または５に記載の情報隠蔽用シート。
【請求項１０】
前記の第１の基材と第２の基材を重ね合わせて、折り部（折り線２）で折り畳み、また折り部（折り線３）で三つ折りする際、該折り線２で、山折り側になる第１の基材にスリット、あるいはミシン目を入れ、かつ該折り線３で、谷折り側になる第１の基材にスリット、あるいはミシン目を入れて折りしわを無くし、また折り線２及び折り線３で挟まれた第１Ｂ基材部を第２Ｂ基材部から剥がしやすくして、第２Ｂ基材を折り返して、第２Ｂ基材と、その裏面に擬似接着剤（２１）による接着剤層を有するラベルとして使用できることを特徴とする請求項１または６に記載の情報隠蔽用シート。
【発明の詳細な説明】
【技術分野】
【０００１】
本発明は情報隠蔽シートに関し、特にプリンターの印字適性、搬送適性等に優れ、また剥離性感圧粘着剤と重なる部分での基材への印刷を、解像度が高く、基材との密着性も高い状態で実現でき、隠蔽性が高い往復隠蔽はがき等の情報隠蔽シートに関するものである。
【背景技術】
【０００２】
従来、情報隠蔽用シートの例として、往復はがきを使用する際に、封筒に入れずに、個人情報の記載されたはがきを往復させて、例えば企業から個人に往信する時に、その個人情報の記載部を隠蔽させるために、紙と重ね合わせて、圧着し隠蔽していた。また、同じはがきを使用して、個人から企業へ返信する時は、はがきに添付されているラベルを個人情報の記載部に貼り付けて、隠蔽していた。
【０００３】
図４、５は、従来の往復隠蔽はがきの一例を示す図である。
従来の往復隠蔽はがき１は、図４に示すように、折り線２と折り線３が施され、該折り線２が山折りで折り畳まれた状態で、Ａ面、Ｂ面が重ね合わされ、圧着されると接着するような粘着剤（剥離性感圧粘着剤層１４）が、基材の一方の面に塗布されたものが使用されている。そして、Ｂ面の一定箇所に、裏面に粘着剤が設けられた隠蔽ラベル４が貼り込まれている。この往復はがきの往信された個人は、Ｃ面を、折り線３を利用して、Ｂ面から切り離して、返信はがき１６として利用する。その返信時は、Ｂ面に貼付されている隠蔽ラベル４をＢ面から剥離して、図４ｂ）に示すＣ面の個人情報欄に、その隠蔽ラベル４を貼り付けて、個人情報欄の情報を隠蔽しておく。
【０００４】
尚、図４に示す往復隠蔽はがき１は、Ａ面には、広告欄などが配置され、圧着され接着した状態では、はがきの裏面の最表面となって、その広告欄の情報が即座に見れるものである。またＢ面には、往復はがきの往信先の住所、名前を記載した欄が、上側に配置され、下側には、隠蔽ラベル４がＢ面から剥離可能に貼り付けられている。また、Ｃ面には、往信先の個人情報欄が隠蔽ラベルで覆われるサイズにて配置されている。また、Ａ面の接着剤の塗布された側には、往信先の個人情報が印刷（印字）されていて、その個人情報を隠蔽するように、折り線２で折って、Ａ面とＢ面を重ね合わして、圧着する。
【０００５】
図４ｂ）に示すものは、往復隠蔽はがき１が往信先に届いた後、返信はがき１６として返信することを説明した図である。折り線３は、往信先の人が、往復隠蔽はがきを受取った後に、返信する際に、Ｃ面を、Ｂ面から、切り離して使用する。また、図４に示す往復隠蔽はがき１は、両側にマージナルパンチ加工が施された連続フォームとして、製造され、そのマージナルパンチ加工された部分を利用して、個人情報等を、プリンターで連続的に印字することが行われる。但し、往復隠蔽はがきとして、利用する際は、そのマージナルパンチ加工された部分は、切り取り線５、６により、切り離される。
【０００６】
上記の図４に示す往復隠蔽はがき１は、折り線２で折り畳み、Ａ面、Ｂ面を重ね合わして、圧着した後に、別工程にて、隠蔽ラベル４をラベラ等を使用して、Ｂ面に貼り込むことが必要であり、非常に手間がかかる。プリンターの印字前に、ラベルを貼付しておく条件において、往復隠蔽はがきの隠蔽ラベルが貼付されている部分と貼付されていない部分では、それぞれの部分の総厚が異なり、プリンターで連続処理の際に、蛇行したり、シワが生じたりして、プリンターでの搬送適性が低下し、またその影響もあり、印字適性も低下する問題がある。
【０００７】
以上のような問題があるので、図５に示すような往復隠蔽はがきの改良品が提案されている。図５に示す往復隠蔽はがき１は、第１Ａ基材部と第２Ａ基材部を重ね合わせる接着剤が強接着剤であり、また第１Ｃ基材部と第２Ｃ基材部を重ね合わせる接着剤も強接着剤である。第１Ｂ基材部と第２Ｂ基材部とは、強接着剤と、再接着再剥離可能な擬似接着剤を塗り分けて重ね合わせたものである。その擬似接着剤の塗工された部分の第２Ｂ基材部に、ハーフカット加工が施され、そのハーフカット処理された部分９を第２の基材から剥離すると、第２Ｂ基材部（２Ｂ）と、その裏面に擬似接着剤層が設けられたラベル４となり、返信はがき１６の個人情報を記入した欄に、そのラベル４を貼り付けて、その個人情報を隠蔽する。
【０００８】
図５ｂ）に示すものは、往復隠蔽はがき１が往信先に届いた後、返信はがき１６として返信することを説明した図であり、折り線３は、往信先の人が、往復隠蔽はがきを受取った後に、返信する際に、Ｃ面を、Ｂ面から、切り離して使用する。また、図５に示す往復隠蔽はがきは、両側にマージナルパンチ加工が施された連続フォームとして、製造され、そのマージナルパンチ加工された部分を利用して、個人情報等を、プリンターで連続的に印字することが行われる。但し、往復隠蔽はがきとして、利用する際は、そのマージナルパンチ加工された部分は、切り取り線５、６により、切り離される。
【０００９】
上記の図５に示す往復隠蔽はがき１は、第１基材の表面には、剥離性感圧粘着剤層１４が全面に塗工されたもので、その塗工された基材を使用するために、第１基材に施す印刷は、上記剥離性感圧粘着剤層１４の上に行なうことになる。しかし、基材表面に直接、印刷する場合と比べ、剥離性感圧粘着剤層１４の上での印刷では、該粘着剤層表面が平滑でなく、凹凸を有するので、印刷部の密着性が低下し、また解像度の高い画像、文字の印刷再現ができないという問題がある。
【００１０】
また、特許文献１に示す往復はがきは、返信宛名情報が記載された紙葉３の裏面の全面にラベルを積層させたもので、提案されている。しかし、この場合も、紙葉３の部分が、他の紙葉１、２の部分に比べ、総厚が大きく、プリンターでの搬送適性が低下し、またその影響もあり、印字適性も低下する問題がある。
【特許文献１】特開平７−４０６８３号公報
【発明の開示】
【発明が解決しようとする課題】
【００１１】
したがって、本発明は、プリンターの印字適性、搬送適性等に優れ、また剥離性感圧粘着剤と重なる部分での基材への印刷を、解像度が高く、基材との密着性も高い状態で実現でき、隠蔽性が高い往復隠蔽はがき等の情報隠蔽シートを提供することを目的とする。
【課題を解決するための手段】
【００１２】
以上の状況を鑑み、鋭意研究開発を進め、本発明に到った。すなわち、請求項１に記載の発明は、第１の基材と第２の基材とが、少なくとも擬似接着剤により重ね合わされて接着し、少なくとも１箇所の折り部により、折り畳まれて接着可能な情報隠蔽用シートにおいて、該折り畳まれる対向面同士が、接着性部材を積層し、該接着性部材により、重ね合わされて圧着されて接着可能であり、また該接着された部分は再剥離が可能であることを特徴とする。
【００１３】
請求項２に記載の発明は、前記の接着性部材が、基材フィルムの両側に感熱接着剤層を設けたもの、あるいは剥離性感圧粘着剤層の皮膜であることを特徴とする。請求項３に記載の発明は、前記の第１の基材と第２の基材の少なくとも一方において、地紋印刷が設けられて、該基材部に記載された個人情報が透けて見えないようにしたことを特徴とする。請求項４に記載の発明は、前記の折り部において、山折り側になる基材に、スリット、あるいはミシン目を入れて折りやすくしたことを特徴とする。
【００１４】
請求項５に記載の発明は、前記の第１の基材が、第１Ａ基材部と第１Ｂ基材部とが折り部である折り線２を介して区分けされ、第２の基材が第２Ａ基材部と第２Ｂ基材部とが折り線２を介して区分けされ、第１Ａ基材部、第１Ｂ基材部の基材部で、少なくとも１つの基材部において、さらに強接着剤を用い、擬似接着剤と強接着剤を、接着箇所を分けて、第２基材と重ね合わされたことを特徴とする。
【００１５】
請求項６に記載の発明は、前記の第１の基材が、第１Ａ基材部と第１Ｂ基材部とが折り部である折り線２を介して区分けされ、かつ第１Ｂ基材部と第１Ｃ基材部とが折り部である折り線３を介して区分けされ、第２の基材が第２Ａ基材部と第２Ｂ基材部とが折り線２を介して区分けされ、かつ第２Ｂ基材部と第２Ｃ基材部とが折り部である折り線３を介して区分けされ、第１Ａ基材部、第１Ｂ基材部、第１Ｃ基材部の基材部で、少なくとも１つの基材部において、さらに強接着剤を用い、擬似接着剤と強接着剤を、接着箇所を分けて、第２基材と重ね合わされたことを特徴とする。
【００１６】
請求項７に記載の発明は、前記の情報隠蔽用シートの擬似接着剤により、重ね合わされて接着した部分で、第１の基材部にハーフカット加工が施され、該ハーフカット部分を剥離して、該剥離した部分をラベルとして使用して、情報隠蔽用シートの表面に記載した個人情報を、該ラベルを貼り付けて隠蔽可能にしたことを特徴とする。請求項８に記載の発明は、前記の第１の基材と第２の基材を重ね合わせて、折り部（折り線２）で折り畳む際、該折り部（折り線２）で、山折り側になる第１の基材にスリット、あるいはミシン目を入れて折りしわを無くし、また折り部（折り線２）と第１Ｂ基材の端面４０で挟まれた第１Ｂ基材を第２Ｂ基材部から剥がしやすくして、該剥がされた部分をラベルとして使用できることを特徴とする。
【００１７】
請求項９に記載の発明は、前記の第１の基材と第２の基材を重ね合わせて折り部（折り線２）で折り畳む際、該折り部（折り線２）で、山折り側になる第１の基材にスリット、あるいはミシン目を入れて折りしわを無くし、また折り部（折り線２）と第１Ｂ基材の端面４０で挟まれた第１Ｂ基材を第２Ｂ基材部から剥がして、その後に該第２Ｂ基材を逆折りして、第１Ａ基材と第２Ｂ基材とが擬似接着剤を介して接着できることを特徴とする。請求項１０に記載の発明は、前記の第１の基材と第２の基材を重ね合わせて、折り部（折り線２）で折り畳み、また折り部（折り線３）で三つ折りする際、該折り線２で、山折り側になる第１の基材にスリット、あるいはミシン目を入れ、かつ該折り線３で、谷折り側になる第１の基材にスリット、あるいはミシン目を入れて折りしわを無くし、また折り線２及び折り線３で挟まれた第１Ｂ基材部を第２Ｂ基材部から剥がしやすくして、第２Ｂ基材を折り返して、第２Ｂ基材と、その裏面に擬似接着剤（２１）による接着剤層を有するラベルとして使用できることを特徴とする。
【発明の効果】
【００１８】
本発明の情報隠蔽用シートは、第１の基材と第２の基材とが、少なくとも擬似接着剤により重ね合わされて接着し、少なくとも１箇所の折り部により、折り畳まれて接着可能な情報隠蔽用シートにおいて、該折り畳まれる対向面同士が、接着性部材を積層し、該接着性部材により、重ね合わされて圧着されて接着可能であり、また該接着された部分は再剥離が可能であるようにした。また前記の接着性部材が、基材フィルムの両側に感熱接着剤層を設けたもの、あるいは剥離性感圧粘着剤層の皮膜である、これらの２つの形態のいずれかをとることができる。これにより、情報隠蔽用シートは全面において、総厚が異なる部分がなく、均一な平坦性を有しているので、プリンターの印字適性、搬送適性等に優れたものとなる。
【００１９】
さらに、従来の往復隠蔽はがきでは、基材表面に、剥離性感圧粘着剤層が全面に塗工され、その基材に施す印刷は、剥離性感圧粘着剤層の上に行なう制約があり、印刷部の密着性が低下し、また解像度の高い画像、文字の印刷再現ができない問題があったが、本発明の情報隠蔽用シートは、基材上に直接印刷が可能であり、その後に接着性部材を基材上に積層させた構成にしたので、上記の印刷部の密着性、解像度の高い印刷再現性の問題を解決することができた。
【００２０】
本発明は、前記の第１の基材と第２の基材の少なくとも一方において、様々なパターンを適宜選択して、地紋印刷を設けて、該基材部に記載された個人情報が透けて見えないようにすることができた。また、本発明は、前記の折り部において、山折り側になる基材に、スリット、あるいはミシン目を入れて折りやすくすることができ、これにより、折り部から外れた位置で折られることがなく、正規の位置でシワもなく、仕上がりのきれいな情報隠蔽用シートを形成することができる。
【００２１】
本発明は、前記の第１の基材が、第１Ａ基材部と第１Ｂ基材部とが折り部である折り線２を介して区分けされ、第２の基材が第２Ａ基材部と第２Ｂ基材部とが折り線２を介して区分けされ、第１Ａ基材部、第１Ｂ基材部の基材部で、少なくとも１つの基材部において、さらに強接着剤を用い、擬似接着剤と強接着剤を、接着箇所を分けて、第２基材と重ね合わされた構成をとることができる。また、本発明は前記の第１の基材が、第１Ａ基材部と第１Ｂ基材部とが折り部である折り線２を介して区分けされ、かつ第１Ｂ基材部と第１Ｃ基材部とが折り部である折り線３を介して区分けされ、第２の基材が第２Ａ基材部と第２Ｂ基材部とが折り線２を介して区分けされ、かつ第２Ｂ基材部と第２Ｃ基材部とが折り部である折り線３を介して区分けされ、第１Ａ基材部、第１Ｂ基材部、第１Ｃ基材部の基材部で、少なくとも１つの基材部において、さらに強接着剤を用い、擬似接着剤と強接着剤を、接着箇所を分けて、第２基材と重ね合わす構成をとることができる。前者は主として、２つ折りの情報隠蔽用シートの形態で具現でき、また後者は主として、３つ折りの情報隠蔽用シートの形態を具現できる。いずれにしても、第１基材と第２基材とが擬似接着剤のみで、重ね合わされた場合、その接着剤を剥離しやすい利点があるが、取扱い上、剥がれることが好ましくない時に、剥がれないように強接着剤を塗り分けて、情報隠蔽用シートを構成することができる。
【００２２】
本発明は、前記の情報隠蔽用シートの擬似接着剤により、重ね合わされて接着した部分で、第１の基材部にハーフカット加工が施され、該ハーフカット部分を剥離して、該剥離した部分をラベルとして使用して、情報隠蔽用シートの表面に記載した個人情報を、該ラベルを貼り付けて隠蔽可能にすることができる。つまり情報隠蔽用シートの全面の平坦性を維持しながら、ハーフカット部分を剥離して、ラベルとして貼り付け、その個人情報の記載された同一面で、例えば図１〜２に示すように、第１Ａ基材部の表面（１Ａ面）で、１Ａ面の下半分に位置する個人情報の記載された部分２２のみにラベル４が貼り付けられて隠蔽され、１Ａ面の上半分に位置する、個人情報の記載された部分２２を除く部分にはラベル４が貼り付けられずに、隠蔽されないようにでき、ラベルによる隠蔽部分を区分することができる。
【００２３】
また本発明は、前記の第１の基材と第２の基材を重ね合わせて、折り部（折り線２）で折り畳む際、該折り部（折り線２）で、山折り側になる第１の基材にスリット、あるいはミシン目を入れて折りしわを無くし、また折り部（折り線２）と第１Ｂ基材の端面４０で挟まれた第１Ｂ基材を第２Ｂ基材部から剥がしやすくして、該剥がされた部分をラベルとして使用できる。これは、主して２つ折りの情報隠蔽用シートの形態で構成されるもので、第１Ｂ基材の全面を利用したラベルが、情報隠蔽用として使用される。
【００２４】
さらに、本発明は、前記の第１の基材と第２の基材を重ね合わせて、折り部（折り線２）で折り畳み、また折り部（折り線３）で三つ折りする際、該折り線２で、山折り側になる第１の基材にスリット、あるいはミシン目を入れ、かつ該折り線３で、谷折り側になる第１の基材にスリット、あるいはミシン目を入れて折りしわを無くし、また折り線２及び折り線３で挟まれた第１Ｂ基材部を第２Ｂ基材部から剥がしやすくして、第２Ｂ基材を折り返して、第２Ｂ基材と、その裏面に擬似接着剤（２１）による接着剤層を有するラベルとして使用できる。これは、主して３つ折りの情報隠蔽用シートの形態で構成されるもので、第２Ｂ基材の全面を利用したラベルが、情報隠蔽用として使用される。
【発明を実施するための最良の形態】
【００２５】
図１は、本発明の情報隠蔽用シート１の一つの実施形態を示す概略図であり、図１ａ）は情報隠蔽用シートが配布され、返却して使用される前の第１の基材１１、第２の基材１２とが強接着剤、擬似接着剤や、折り線２等で構成されることを説明するための概略図であり、図１ｂ）は図１ａ）で示した情報隠蔽用シートが、配布された後の返却時での使用される状態を説明するための概略図である。
【００２６】
図１ａ）において、第２の基材１２が、第２Ａ基材部（２Ａ）と第２Ｂ基材部（２Ｂ）とが折り線２を介して区分けされて形成されている。第２Ａ基材部の表面を２Ａ面とし、第２Ｂ基材部の表面を２Ｂ面とし、２Ａ面には、配布された人の個人情報１３が、可変情報として、例えば、ノーインパクトプリンターを使用して、印字されている。第２の基材１２は、両端に、マージナルパンチ１５加工が施された連続フォームの形態で製造され、また上記のプリンター印字は、そのマージナルパンチ加工を利用して連続処理される。また第２の基材１２は、個人情報１３を隠蔽するために、基材１２の第２Ａ基材部と第２Ｂ基材の表面に、圧着により接着可能で、また接着された部分は再剥離が可能である接着性部材７が積層されている。
【００２７】
この接着性部材として、例えば、基材フィルムの両側に感熱接着剤層を設けたものを使用でき、該基材フィルムの情報隠蔽用シート側の接着剤は感熱接着剤で、一旦接着させた後には、情報隠蔽用シートの基材と接着性部材を剥離することが困難なものである。それに対し、基材フィルムの情報隠蔽用シート側と反対側の接着剤（粘着剤）は、その使用する接着剤層が基材と接触しても粘着せずに、接着剤層同士が加熱、加圧接触してはじめて粘着し、しかも再剥離ができるように調整されたものであり、従来の折り畳みのメールフォームで利用されている接着剤が使用できる。一般的に、粘着主剤、粘着力調整剤、添加物等でその接着剤層を構成できる。配布時は折り線２で、谷折りの条件で折り畳み、第２の基材１２の第２Ａ基材部と第２Ｂ基材部の表面同士（２Ａ面と２Ｂ面）が重ね合わされて圧着されて接着し、上記の個人情報１３が隠蔽できる。また図示してはいないが、基材部に記載された個人情報、すなわち第１Ａ基材部の表面に記載した個人情報２２、あるいは第２Ａ基材部の表面の個人情報１３において、配布、返却などの取扱い中に、それらの個人情報が透けて見えないように、地紋印刷が施されることが好ましい。詳しくは、まず第１Ａ基材部の表面に記載した個人情報２２では、第１Ａ基材部の裏面全面に（接着剤と接する側に）、及び／または第２Ａ基材部の接着剤と接する側に、地紋印刷を施すことができる。さらに、その個人情報２２の上に、貼り付けるラベルの表面全面に、あるいはラベルの擬似接着剤と接する側に、地紋印刷を施すことができる。
【００２８】
また、第２Ａ基材部の表面の返却者の個人情報１３では、第２Ａ基材部の裏面全面に（接着剤と接する側に）、及び／または第１Ａ基材部の接着剤と接する側に、及び／または第２Ｂ基材部の接着剤と接する側に、及び／または第１Ｂ基材部の接着剤と接する側に、地紋印刷を施すことができる。
このようにして、情報隠蔽用シートが配布、返却される際に、個人情報が透けて見えることを困難にすることができる。
【００２９】
また、第２の基材１２に設けられた折り線２は、ミシン目であったり、スジ押しであったり、あるいは点線を印刷して形成することもできる。この折り線２は、その線上で、折りやすくするためのものである。
また、図１ａ）において、第１の基材１１が第１Ａ基材部（１Ａ）と第１Ｂ基材部（１Ｂ）とが折り線２を介して区分けされて形成されている。第１Ａ基材部の表面を１Ａ面とし、第１Ｂ基材部の表面を１Ｂ面とし、図示はしていないが、１Ａ面には、適当な広告を印刷することができる。また、１Ｂ面には、返却者が自分の個人情報を記入しやすくする説明書きなどが印刷されている。上記の配布先の住所、名前１７は、可変情報であり、例えば、ノーインパクトプリンターを使用して、印字される。尚、第１の基材１１についても、上記の第２の基材１２と同様に、両端に、マージナルパンチ１５加工が施された連続フォームの形態で製造され、また上記のプリンター印字は、そのマージナルパンチ加工を利用して連続処理される。但し、第１の基材１１における配布先の住所、名前１７のプリンター印字と、上記の第２の基材１２における返却者の個人情報１３のプリンター印字は、両者の情報の照合性を正確にするために、第１の基材１１と第２の基材１２とが重ね合わせて接着している状態で、両面印字可能なプリンターを用いて行なうことが好ましい。
【００３０】
上記に説明した第１の基材１１と第２の基材１２とは、図１の場合では擬似接着剤（２１）のみを使用して、重ね合わせられている。擬似接着剤（２１）は一旦接着した後に、剥離可能であり、またその剥離された擬似接着剤（２１）を利用して（ラベルとして）、返却用紙１６の個人情報を記入した欄２２に再接着でき、また再剥離することができるものである。第１の基材１１における第１Ｂ基材部（１Ｂ）におけるハーフカットの位置を示す線８に合わせて、ハーフカット９処理が施される。このハーフカット９処理された部分は、図示したように四角形で４隅に、Ｒの加工が施すことが出来る。このハーフカット９処理は、第１の基材１１と第２の基材１２とが、擬似接着剤（２１）により接着されて、一体化した状態の箇所に施され、第１Ｂ基材部（１Ｂ）の表面から、擬似接着剤と接する面まで、第１Ｂ基材部（１Ｂ）を貫通するカットが施され、また擬似接着剤の一部まで、そのカットが延びていても良い。このハーフカット９処理された部分を第１の基材１１から剥離すると、第１Ｂ基材部（１Ｂ）と、その裏面に擬似接着剤による接着剤層が設けられたラベル４となり、返却用紙１６の個人情報を記入した欄２２に、そのラベル４を貼り付けて、その個人情報を容易に隠蔽することができる。
【００３１】
図１ａ）で示した情報隠蔽用シート１は、配布時に折り線２で、谷折りの条件で折り畳んで、第２の基材１２の第２Ａ基材部と第２Ｂ基材部の表面同士（２Ａ面と２Ｂ面）が重ね合わされて圧着されて接着し、個人情報１３を隠蔽するものである。また本発明の情報隠蔽用シート１は、配布時に、２つ折された形態で、利用する際、両端に設けられたマージナルパンチ１５加工された部分は、切り取り線５、６により、切り離して使用することができる。
【００３２】
図１ｂ）で示したものは、図１ａ）で示した情報隠蔽用シートが、配布された後の返却時での使用される状態を説明するもので、配布先の人が、情報隠蔽用シート１を受取って、２Ａ面と２Ｂ面とが接着した状態から、２Ａ面と２Ｂ面とを剥離して、２Ａ面に記載された個人情報１３を確認して、その後に折り線２の部分で第１Ａ基材部（１Ａ）と第１Ｂ基材部（１Ｂ）とを切り離して、第１Ａ基材部（１Ａ）と第２Ａ基材部（２Ａ）からなる返却用紙１６が得られる。第１Ｂ基材（１Ｂ）に設けられたハーフカット９部分を剥離して、該剥離した部分をラベル４として使用することにより、第１Ａ基材部（１Ａ）の表面に記載した個人情報２２を、該ラベル４を貼り付けて隠蔽する。尚、返却用紙１６の個人情報の記入欄２２には、情報隠蔽用シートを配布された人が自分の個人情報に関する必要事項を記入した後に、上記のラベル４を貼り付けて使用する。
【００３３】
図２は、本発明の情報隠蔽用シート１の他の実施形態を示す概略図であり、図１で示した情報隠蔽用シートとは、第１の基材１１と第２の基材１２とが、図１の場合では擬似接着剤（２１）のみを使用して、重ね合わせられているが、図２の場合では、第１Ｂ基材部の基材部で、擬似接着剤２１と、さらに強接着剤２０を用い、擬似接着剤と強接着剤を、接着箇所を分けて、第２基材１２と重ね合わされたものである。また、図２の場合では、第１Ａ基材部では、全面を強接着剤２０を用いて、第２基材１２と重ね合わされたものである。それ以外の構成については、図１で示したものと同様である。尚、強接着剤は一旦接着させた後に、第１の基材１１と第２の基材１２を剥離することが困難なものである。
【００３４】
図２に示したように、第１Ａ基材部、第１Ｂ基材部の基材部で、少なくとも１つの基材部において、擬似接着剤と強接着剤を、接着箇所を分けて、第２基材と重ね合わすことができる。図２の場合、第１Ｂ基材部と第２Ｂ基材部は強接着剤により重ね合わされていて、情報隠蔽用シートの配布時や、折り線２で切り取られた後の返却用紙を返却したりする取り扱い中に、第１基材と第２基材とが剥がれるトラブルを防止できる。また、第１Ａ基材部と第２Ａ基材部は、上半分の領域が強接着剤により、下半分が擬似接着剤により重ね合わされていて、擬似接着剤が設けられている部分には、第１の基材部にハーフカット加工が施され、該ハーフカット部分を剥離して、該剥離した部分をラベルとして使用して、情報隠蔽用シートの表面に記載した個人情報を、該ラベルを貼り付けて隠蔽可能にできる。ラベルとして使用する箇所に、擬似接着剤を設け、ラベルの部分を除く部分には、強接着剤を設けて、取り扱い中に、第１基材と第２基材とが剥がれるトラブルを防止できる。それは、第１基材と第２基材が重ね合わされた状態から、ラベルとして、利用する箇所のみ、両基材を剥がしやすくするため、擬似接着剤により重ね合わせ、ラベルとして利用しない部分は、両基材を剥がすことなく取り扱われるものであるからである。
【００３５】
また、図１を参照して、第１の基材１１と第２の基材１２を重ね合わせて、折り部（折り線２）で折り畳む際、該折り部（折り線２）で、山折り側になる第１の基材１１にスリット、あるいはミシン目を入れて折りしわを無くすことができ、また折り部（折り線２）と第１Ｂ基材の端面４０で挟まれた第１Ｂ基材を第２Ｂ基材部から剥がしやすくして、該剥がされた部分、すなわち第１Ｂ基材全体と裏面全面に擬似接着剤が設けられたものを、ラベルとして使用できる。この場合は、ハーフカット部分を剥がすものではなく、情報隠蔽用シートの半分の大きさで、ラベルが構成される。
【００３６】
また、図１を参照して、第１の基材１１と第２の基材１２を重ね合わせて折り部（折り線２）で折り畳む際、該折り部（折り線２）で、山折り側になる第１の基材１１にスリット、あるいはミシン目を入れて折りしわを無くすことができ、また折り部（折り線２）と第１Ｂ基材の端面４０で挟まれた第１Ｂ基材を第２Ｂ基材部から剥がして、その後に該第２Ｂ基材を逆折りして、第１Ａ基材と第２Ｂ基材とが擬似接着剤を介して接着できる。この場合は、第１Ｂ基材と第２Ｂ基材が重ね合わされた状態から、第１Ｂ基材が第２Ｂ基材部から剥がされ、情報隠蔽用シートに残存した第２Ｂ基材部の裏面全面に擬似接着剤が設けられているので、その第２Ｂ基材全体と裏面全面に擬似接着剤が設けられたものを、ラベルとして、折り線２で折り畳まれていた状態とは逆方向に折って、つまり逆折りして、第１Ａ基材と第２Ｂ基材とを擬似接着剤を介して接着できる。この際、折り線２の箇所では情報隠蔽用シートを切り離すことはない。そして、第１Ａ基材と第２Ｂ基材とが擬似接着剤を介して接着した状態は、第１Ａ基材表面に記入した個人情報２２が、そのラベルにより、隠蔽されることになる。
【００３７】
図３は、本発明の情報隠蔽用シート１の他の実施形態を示す概略図であり、情報隠蔽用シートとして往復隠蔽はがきとして利用されるものを示したもので、図３ａ）は往復隠蔽はがきが往信され、返信して使用される前の第１の基材１１、第２の基材１２とが強接着剤、擬似接着剤や、折り線２、３等で構成されることを説明するための概略図であり、図３ｂ）は図３ａ）で示した往復隠蔽はがきが、往信された後の返信時での使用される状態を説明するための概略図である。
【００３８】
図３ａ）において、第２の基材１２が、第２Ａ基材部（２Ａ）と第２Ｂ基材部（２Ｂ）とが折り線２を介して区分けされ、かつ第２の基材１２が第２Ｂ基材部（２Ｂ）と第２Ｃ基材部（２Ｃ）とが折り線３を介して区分けされて形成されている。第２Ａ基材部の表面を２Ａ面とし、第２Ｂ基材部の表面を２Ｂ面とし、また第２Ｃ基材部の表面を２Ｃ面として、２Ｃ面には返信時のはがきの「郵便はがき」、「返信」の文字が印刷されている。尚、「郵便はがき」の印刷位置は、図示した位置に限定されず、図３ｂ）の第１Ｂ基材部で示したような配置で、第２Ｃ基材の２Ｃ面の左端に設けることも可能である。２Ａ面には、往信された、つまり返信者の個人情報１３が、可変情報として、例えば、ノーインパクトプリンターを使用して、印字されている。第２の基材１２は、両端に、マージナルパンチ１５加工が施された連続フォームの形態で製造され、また上記のプリンター印字は、そのマージナルパンチ加工を利用して連続処理される。また第２の基材１２は、個人情報１３を隠蔽するために、基材１２の第２Ａ基材部と第２Ｂ基材の表面に、圧着により接着可能で、また接着された部分は再剥離が可能である接着性部材７が積層されている。
【００３９】
この接着性部材７は、図１で説明したような基材フィルムの両側に感熱接着剤が設けられたもの、あるいは剥離性感圧粘着剤層の皮膜であってもよい。すなわち、第２基材の表面に、各種の文字、パターンをオフセット印刷等を施した後に、剥離性感圧粘着剤を第２Ａ基材部と、第２Ｂ基材部の表面に塗工する。この剥離性感圧粘着剤は、基材と接触しても粘着せずに、粘着剤層同士が加圧接触してはじめて粘着し、しかも剥離ができるように調整されたものであり、従来の折り畳みのメールフォームで利用されているものであり、詳細は前記で示したものと同様である。
【００４０】
図１〜３で示したような本発明の情報隠蔽用シートは、２つ折、３つ折などの形態をとることができるが、いずれにしても、従来の往復隠蔽はがきでは、基材表面に、剥離性感圧粘着剤が全面に塗工されたものを使用していたので、その基材表面に施す印刷は、剥離性感圧粘着剤層の上に行なう制約があり、印刷部の密着性が低下し、また解像度の高い画像、文字の印刷再現ができない問題があったが、本発明の情報隠蔽用シートは、基材上に直接印刷が可能であり、その印刷後に接着性部材を基材上に積層させた構成をとったものである。よって、上記の印刷部の密着性、解像度の高い印刷再現性の優れるものとなった。
【００４１】
図３において、往信時は折り線２で、谷折りの条件で折り畳み、第２の基材１２の第２Ａ基材部と第２Ｂ基材部の表面同士（２Ａ面と２Ｂ面）が重ね合わされて圧着されて接着し、個人情報１３が隠蔽できる。また図示してはいないが、基材部に記載された個人情報、すなわち第１Ｃ基材部の表面に記載した個人情報２２、あるいは第２Ａ基材部の表面の返信者の個人情報１３において、郵便配達中などの取扱い中に、それらの個人情報が透けて見えないように、地紋印刷が施されることが好ましい。詳しくは、まず第１Ｃ基材部の表面に記載した個人情報２２では、第１Ｃ基材部の裏面全面に（接着剤と接する側に）、及び／または第２Ｃ基材部の接着剤と接する側に、地紋印刷を施すことができる。さらに、その個人情報２２の上に、貼り付けるラベルの表面全面に、あるいはラベルの擬似接着剤と接する側に、地紋印刷を施すことができる。
【００４２】
また、第２Ａ基材部の表面の返信者の個人情報１３では、第２Ａ基材部の裏面全面に（接着剤と接する側に）、及び／または第１Ａ基材部の接着剤と接する側に、及び／または第２Ｂ基材部の接着剤と接する側に、及び／または第１Ｂ基材部の接着剤と接する側に、地紋印刷を施すことができる。
このようにして、往復隠蔽はがきが往信、返信される際に、個人情報が透けて見えることを困難にすることが好ましく行なわれる。
【００４３】
また、第２の基材１２に設けられた折り線２は、ミシン目であったり、スジ押しであったり、あるいは点線を印刷して形成することもできる。この折り線２は、その線上で、折りやすくするためのものである。また折り線３は、往信時などの取扱い上は切り離れることはない。
【００４４】
また、図３ａ）において、第１の基材１１が第１Ａ基材部（１Ａ）と第１Ｂ基材部（１Ｂ）とが折り線２を介して区分けされ、かつ第１の基材１１が第１Ｂ基材部（１Ｂ）と第１Ｃ基材部（１Ｃ）とが折り線３を介して区分けされて形成されている。第１Ａ基材部の表面を１Ａ面とし、第１Ｂ基材部の表面を１Ｂ面とし、また第１Ｃ基材部の表面を１Ｃ面として、図示はしていないが、１Ａ面には、適当な広告を印刷することができる。また、１Ｂ面には「郵便はがき」の文字などが印刷され、また往信先の住所、名前１７が記載されている。また、１Ｃ面には返信はがき１６として、返信者が返信する人の個人情報を記入しやすくする説明書きなどが印刷されている。上記の往信先の住所、名前１７は、可変情報であり、例えば、ノーインパクトプリンターを使用して、印字される。尚、第１の基材１１についても、上記の第２の基材１２と同様に、両端に、マージナルパンチ１５加工が施された連続フォームの形態で製造され、また上記のプリンター印字は、そのマージナルパンチ加工を利用して連続処理される。但し、第１の基材１１における往信先の住所、名前１７のプリンター印字と、上記の第２の基材１２における返信者の個人情報１３のプリンター印字は、両者の情報の照合性を正確にするために、第１の基材１１と第２の基材１２とが重ね合わせて接着している状態で、両面印字可能なプリンターを用いて行なうことが好ましい。
【００４５】
上記に説明した第１の基材１１と第２の基材１２とが、強接着剤（２０）と擬似接着剤（２１）を使用して、重ね合わせられている。その強接着剤（２０）と擬似接着剤（２１）とは、その塗工する箇所を区分けしている。図３では、第１Ａ基材部（１Ａ）と第２Ａ基材部（２Ａ）を重ね合わせるための接着剤が強接着剤（２０）であり、第１Ｃ基材部（１Ｃ）と第２Ｃ基材部（２Ｃ）を重ね合わせるための接着剤も強接着剤（２０）であり、第１Ｂ基材部（１Ｂ）と第２Ｂ基材部（２Ｂ）を重ね合わせるための接着剤が、強接着剤と擬似接着剤（２１）の２種の接着剤を接着箇所を分けて使用したものである。この２種の接着剤を塗り分けて使用する単位は、図３に示す第１Ｂ基材部の場合だけではなく、第１Ａ基材部、あるいは第１Ｃ基材部であってもよい。いずれにしろ、第１Ａ基材部、第１Ｂ基材部、第１Ｃ基材部で、少なくとも１つの基材部において、擬似接着剤と強接着剤を、接着箇所を分けて使用できる。尚、強接着剤は、一旦接着させた後に、第１の基材１１と第２の基材１２を剥離することが困難なものである。また、擬似接着剤（２１）は一旦接着した後に、剥離可能であり、またその剥離された擬似接着剤（２１）を利用して（ラベルとして）、返信はがき１６の個人情報を記入した欄２２に再接着でき、また再剥離できるものである。
【００４６】
図３では、第１の基材１１と第２の基材１２とが、強接着剤（２０）と擬似接着剤（２１）を使用して、重ね合わせられたものを示したが、強接着剤を全く使用せずに、第１の基材１１と第２の基材１２を擬似接着剤のみで重ね合わせることができる。
第１の基材１１における第１Ｂ基材部（１Ｂ）におけるハーフカットの位置を示す線８に合わせて、ハーフカット９処理が施される。このハーフカット９処理された部分は、図示したように四角形で４隅に、Ｒの加工が施すことが出来る。このハーフカット９処理された部分を第１の基材１１から剥離すると、第１Ｂ基材部（１Ｂ）と、その裏面に擬似接着剤による接着剤層が設けられたラベル４となり、返信はがき１６の個人情報を記入した欄２２に、そのラベル４を貼り付けて、その個人情報を容易に隠蔽することができる。
【００４７】
図３ａ）で示した往復隠蔽はがき１は、往信時に折り線２で、谷折りの条件で折り畳んで、第２の基材１２の第２Ａ基材部と第２Ｂ基材部の表面同士（２Ａ面と２Ｂ面）が重ね合わされて圧着されて接着し、個人情報１３を隠蔽するものである。また本発明の往復隠蔽はがき１は、往信時に、３つ折された往復隠蔽はがきとして、利用する際は、両端に設けられたマージナルパンチ１５加工された部分は、切り取り線５、６により、切り離されている。
【００４８】
図３ｂ）で示したものは、図３ａ）で示した往復隠蔽はがきが、往信された後の返信時での使用される状態を説明するもので、往信先の人が、往復隠蔽はがき１を受取って、２Ａ面と２Ｂ面とが接着した状態から、２Ａ面と２Ｂ面とを剥離して、２Ａ面に記載された個人情報１３を確認して、その後に折り線３の部分で第１Ｃ基材部（１Ｃ）と第１Ｂ基材部（１Ｂ）とを切り離して、第１Ｃ基材部（１Ｃ）と第２Ｃ基材部（２Ｃ）からなる返信はがき１６が得られる。第１Ｂ基材（１Ｂ）に設けられたハーフカット９部分を剥離して、該剥離した部分をラベル４として使用することにより、第１Ｃ基材部（１Ｃ）の表面に記載した個人情報２２を、該ラベルを貼り付けて隠蔽する。尚、返信はがき１６の個人情報の記入欄２２には、往信された返信者が自分の個人情報に関する必要事項を記入した後に、上記のラベル４を貼り付けて使用する。
【００４９】
以上、図３を用いて、本発明の情報隠蔽用シートの１例の往復隠蔽はがきについて、説明したが、図３のように、マージナルパンチ１５の加工された方向と、折り線２、３の加工された方向が平行であるが、図６に示すように、マージナルパンチ１５の加工された方向と、折り線２、３の加工された方向が直角であるように、情報隠蔽用シートの配置をとることも可能である。
【００５０】
図７は、本発明の情報隠蔽用シート（往復隠蔽はがき）１の一つの実施形態を示す部分概略図であり、特許請求の範囲の請求項６である、擬似接着剤を用いて重ね合わされた第１Ａ基材部、第１Ｂ基材部、第１Ｃ基材部の少なくとも１つの基材部において、さらに強接着剤を用い、該擬似接着剤と強接着剤を、接着箇所を分けて使用したことを説明するものである。例えば、材部（１Ｂ）と第２Ｂ基材部（２Ｂ）を重ね合わせる接着剤が擬似接着剤（２１）と、さらに強接着剤（２０）を用い、該強接着剤（２０）と擬似接着剤（２１）を、第１Ｂ基材部（１Ｂ）と第２Ｂ基材部（２Ｂ）の重ね合わせる箇所の中の、第１Ｂ基材部（１Ｂ）の下半分の領域に、剥離可能で、再接着可能である擬似接着剤が塗工され、また第１Ｂ基材部（１Ｂ）の上半分の領域に、強接着剤が塗工され、第１Ｂ基材部（１Ｂ）の上半分と下半分の接着箇所を分けて、強接着剤（２０）と擬似接着剤（２１）が使用されたものである。この例では、第１Ｂ基材部で説明したが、第１Ａ基材部、あるいは第１Ｃ基材部であってもよい。もちろん、第１Ａ基材部、第１Ｂ基材部、第１Ｃ基材部のいずれか一つの基材部において、基材部単位の一つで、その基材部単位の全体が擬似接着剤のみで構成することが可能である。
【００５１】
図７で、上記の第１Ｂ基材部（１Ｂ）の下半分の領域で、ハーフカット９処理された部分では、第２の基材１２と剥離して得られる、第１Ｂ基材部（１Ｂ）と、その裏面に擬似接着剤（２１）による接着剤層が設けられたものが、ラベルとなり、返却用紙（返信はがき）１６の個人情報を記入した欄２２に、そのラベルを貼り付けて、その個人情報を容易に隠蔽することができる。また、第１Ｂ基材部（１Ｂ）の上半分の領域は、往信先の住所、名前１７が記載されて使用される。
【００５２】
本発明は、往復隠蔽はがきとして、郵便で配達するはがきの用途に限らず、アンケート用紙等の手渡し等で、配布して、その後に、記入した用紙が回収されるような情報隠蔽用シートとして利用することができる。さらに、本発明の情報隠蔽用シートは、上記に説明したような個人情報等を隠蔽する用途だけではなく、シートとして、外形サイズを大きくせずに、掲載できる情報量を増やすことができるものとして、例えば、外形サイズがコンパクトであるシートでありながら、広告等の情報を増大させて掲載できる媒体として利用することができる。また、配布時には、隠れて見えない広告等の情報が、そのシートを受取った人のみが、折り畳まれて接着していた部分を剥離して、その隠れた広告等の情報を認識することができるという、特定個人向けの広告等の宣伝効果を高めることもできる。
【実施例】
【００５３】
以下に、本発明の情報隠蔽用シートである往復隠蔽はがきについて、実施例に基づいて、説明する。
第１の基材及び第２の基材として、上質紙、アート紙、コート紙等のパルプをした用紙を用いた。まず、図３に示すように第１の基材の１Ａ面には、その往復隠蔽はがきの往信元である企業の宣伝のための広告を、また１Ｂ面には「郵便はがき」やハーフカットの位置を示す線８を、さらに１Ｃ面には返信はがきとして、返信者が返信する人の個人情報を記入しやすくする説明書きを、それぞれオフセット印刷方式で、インラインで印刷形成する。また、第１の基材の両端には、マージナルパンチ１５を連続的に加工し、連続して巻き取った状態とした。
【００５４】
第２の基材の２Ｃ面には返信時のはがきの「郵便はがき」、「返信」の文字を、印刷形成する。第２基材の２Ａ面、２Ｂ面にも適宜、必要な情報を印刷した。これらの印刷はオフセット印刷により行ったが、解像度が高く、基材との密着性も高い状態で良好に印刷できた。その印刷後、図３に示すような配置で、基材フィルムの両側に感熱接着剤層を設けた接着性部材７を積層した。接着性部材は、その接着性部材により、重ね合わされて圧着されて接着可能であり、また該接着された部分は再剥離が可能なものである。また第２の基材の両端には、マージナルパンチ１５を連続的に加工し、連続して巻き取った状態とした。
【００５５】
上記の得られた第１の基材の巻取りと、第２の基材の巻取りを給紙部に設置して、擬似接着剤（２１）を塗工できるユニット１と、強接着剤（２０）を塗工できるユニット２を隣接して設けた糊付けコレーターにて、第１の基材の巻取りの上記の印刷面と反対側に、図３ａ）に示すようなパターンで、擬似接着剤（２１）を塗工し、続けて第１の基材の巻取りの擬似接着剤（２１）が塗工された面と同じ側に、図３ａ）に示すようなパターンで、強接着剤（２０）を塗工し、強接着剤（２０）及び擬似接着剤（２１）が塗工された面と、第２の基材の上記の印刷面と反対側とが接するように、重ね合わせる。その時に、第１の基材と第２の基材の各印刷された部分が両者の位置関係が合うように、マージナルパンチを利用したピン送り方式で、第１の基材と第２の基材の見当合わせを行なう。さらに、貼り合わせ時３０と３１に示す位置に、横ミシン目の加工を施して、折り出しした。
【００５６】
上記の連続フォームとして丁合された往復隠蔽はがきは、横ミシン目３０、３１の部分で、折られた折り状態とする。この折り状態のものを、びく抜きの機械で、所定の大きさを有したハーフカット加工のための刃型と台座との間に、上記の往復隠蔽はがきを通して、間欠送りで図３に示すようなハーフカット９処理を、第１の基材に対して施した。
【００５７】
次に、上記のハーフカット処理された往復隠蔽はがきを、両面印字のノーインパクトプリンターにて、第１の基材１１における１Ｂ面に、往信先の住所、名前１７の可変情報を、さらに、第２の基材１２の２Ａ面に、返信者の個人情報１３の可変情報を、それぞれ一つの往復隠蔽はがきとした時に、両者の情報の照合性がとれた状態で、両面印字を行なった。
【００５８】
その後に、切り取り線５、６を利用して、両端に設けられたマージナルパンチ１５加工された部分を、切り離した後に、折り線２で、谷折りの条件で折り畳んで、第２の基材１２の第２Ａ基材部と第２Ｂ基材部の表面同士（２Ａ面と２Ｂ面）が重ね合わされて圧着されて接着するように、さらに折り線３で、谷折りの条件で折り畳んだ状態で、シーラーにて圧力を加える。但し、この加圧処理は長尺の往復隠蔽はがきを使用して、連続処理で行なう。圧着の工程中で、横ミシン目３０、３１を利用して、長尺の連続フォームから、多数の枚葉のシート状である、本発明の情報隠蔽用シートの往復隠蔽はがきを形成した。
【００５９】
上記の得られた往復隠蔽はがきを往信先に郵送したところ、異常なく往信先に往復隠蔽はがきが届けられた。往信先の人は、２Ａ面と２Ｂ面とが接着した状態から、２Ａ面と２Ｂ面とを手で剥離して、２Ａ面に記載された個人情報１３を確認して、その後に折り線３の部分で第１Ｃ基材部（１Ｃ）と第１Ｂ基材部（１Ｂ）とを切り離して、第１Ｃ基材部（１Ｃ）と第２Ｃ基材部（２Ｃ）からなる返信はがき１６が得られた。この返信はがき１６の個人情報の記入欄２２に、往信された返信者は自分の個人情報に関する必要事項を記入した。その後に、第１Ｂ基材（１Ｂ）に設けられたハーフカット９部分を剥離して、該剥離した部分をラベル４として使用し、第１Ｃ基材部（１Ｃ）の表面に記載した個人情報２２を、該ラベルを貼り付けて隠蔽し、返信はがきを郵送した。この返信はがきは、返信先に異常なく届けられ、返信先の関係者が上記のラベルを返信はがきから剥離して、個人情報の記入欄２２の内容を確認し、必要事項を記憶装置へ入力する等の処置を行った。以上の往復隠蔽はがきは、プリンターの搬送適性に優れ、また印字適性も良好であり、さらに剥離性感圧粘着剤層と重なる部分、つまり接着性部材と重なる部分での基材への印刷を、解像度が高く、基材との密着性も高い状態で実現でき、隠蔽性が高く、往信元（返信先）と往信先（返信者）において、取扱い上、問題がなく使用された。
【図面の簡単な説明】
【００６０】
【図１】本発明の情報隠蔽用シートの一つの実施形態を示す概略図である。
【図２】本発明の情報隠蔽用シートの他の実施形態を示す概略図である。
【図３】本発明の情報隠蔽用シートの他の実施形態を示す概略図である。
【図４】従来の往復隠蔽はがきの一例を示す図である。
【図５】従来の往復隠蔽はがきの一例を示す図である。
【図６】本発明の情報隠蔽用シートの他の実施形態を示す概略図である。
【図７】本発明の情報隠蔽用シート（往復隠蔽はがき）１の一つの実施形態を示す部分概略図である。
【符号の説明】
【００６１】
１      情報隠蔽用シート（往復隠蔽はがき）
２      折り線
３      折り線
４      隠蔽ラベル
５      切り取り線
６      切り取り線
７      接着性部材
８      ハーフカットの位置を示す線
９      ハーフカット
１１      第１の基材
１２      第２の基材
１３      返信者（返却者）の個人情報
１５      マージナルパンチ
１６      返却用紙（返信はがき）
１７      往信先（配布先）の住所、名前
２０      強接着剤
２１      擬似接着剤
２２      個人情報を記入した欄
３０、３１      横ミシン目
【図１】
2009029010.tif 000003
【図２】
2009029010.tif 000004
【図３】
2009029010.tif 000005
【図４】
2009029010.tif 000006
【図５】
2009029010.tif 000007
【図６】
2009029010.tif 000008
【図７】
2009029010.tif 000009